【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
始動条件が成立した後に変動表示の開始条件が成立したことに基づいて、各々を識別可能な複数種類の識別情報を変動表示する変動表示部を備え、該変動表示部における識別情報の表示結果が予め定められた特定表示結果となったときに、遊技者にとって有利な特定遊技状態に制御する遊技機であって、
前記変動表示の結果に応じて前記特定遊技状態に制御するか否かを、前記変動表示部における変動表示の表示結果を導出表示する前に決定する事前決定手段と、
前記変動表示の開始条件が成立したことに基づいて、前記識別情報の変動表示が開始されてから表示結果が導出表示されるまでに一旦非特定表示結果となる識別情報を仮停止させた後にすべての識別情報について変動表示を再度実行する再変動を１回または複数回実行する再変動表示パターンを含む予め定められた複数種類の前記識別情報の変動表示パターンの中から１つの変動表示パターンを決定する変動表示パターン決定手段と、
前記変動表示パターン決定手段により決定された変動表示パターンに基づいて、前記識別情報の変動表示を実行する制御を行なう変動表示制御手段と、
前記始動条件は成立したが前記開始条件が成立していない変動表示の保留数を、所定数を上限として計数する保留数計数手段と、
該保留数計数手段により計数されている前記保留数に対応した数の表示領域において、変動表示が保留されていることを特定する保留表示を行なうことにより、前記保留数を特定する表示を行なうことが可能な保留表示部と、
該保留表示部における表示を制御する保留表示制御手段とを備え、
該保留表示制御手段は、前記再変動表示パターンに基づいて前記識別情報の変動表示を実行することに対応して前記再変動が行なわれるときに、当該変動表示中における前記再変動の実行回数に応じて、前記保留表示の表示色を変化させる制御を行なうことを特徴とする、遊技機。
【請求項２】
始動条件が成立した後に変動表示の開始条件が成立したことに基づいて、各々を識別可能な複数種類の識別情報を変動表示する変動表示部を備え、該変動表示部における識別情報の表示結果が予め定められた特定表示結果となったときに、遊技者にとって有利な特定遊技状態に制御する遊技機であって、
前記変動表示の結果に応じて前記特定遊技状態に制御するか否かを、前記変動表示部における変動表示の表示結果を導出表示する前に決定する事前決定手段と、
前記変動表示の開始条件が成立したことに基づいて、前記識別情報の変動表示が開始されてから表示結果が導出表示されるまでに一旦非特定表示結果となる識別情報を仮停止させた後にすべての識別情報について変動表示を再度実行する再変動を１回または複数回実行する再変動表示パターンを含む予め定められた複数種類の前記識別情報の変動表示パターンの中から１つの変動表示パターンを決定する変動表示パターン決定手段と、
前記変動表示パターン決定手段により決定された変動表示パターンに基づいて、前記識別情報の変動表示を実行する制御を行なう変動表示制御手段と、
前記始動条件は成立したが前記開始条件が成立していない変動表示の保留数を、所定数を上限として計数する保留数計数手段と、
該保留数計数手段により計数されている前記保留数に対応した数の表示領域において、変動表示が保留されていることを特定する保留表示を行なうことにより、前記保留数を特定する表示を行なうことが可能な保留表示部と、
該保留表示部における表示を制御する保留表示制御手段とを備え、
該保留表示制御手段は、前記再変動表示パターンに基づいて前記識別情報の変動表示を実行することに対応して前記再変動が行なわれるときに、当該変動表示中における前記再変動の実行回数に応じて、前記保留表示の表示形状を変化させる制御を行なうことを特徴とする、遊技機。
【請求項３】
始動条件が成立した後に変動表示の開始条件が成立したことに基づいて、各々を識別可能な複数種類の識別情報を変動表示する変動表示部を備え、該変動表示部における識別情報の表示結果が予め定められた特定表示結果となったときに、遊技者にとって有利な特定遊技状態に制御する遊技機であって、
前記変動表示の結果に応じて前記特定遊技状態に制御するか否かを、前記変動表示部における変動表示の表示結果を導出表示する前に決定する事前決定手段と、
前記変動表示の開始条件が成立したことに基づいて、前記識別情報の変動表示が開始されてから表示結果が導出表示されるまでに一旦非特定表示結果となる識別情報を仮停止させた後にすべての識別情報について変動表示を再度実行する再変動を１回または複数回実行する再変動表示パターンを含む予め定められた複数種類の前記識別情報の変動表示パターンの中から１つの変動表示パターンを決定する変動表示パターン決定手段と、
前記変動表示パターン決定手段により決定された変動表示パターンに基づいて、前記識別情報の変動表示を実行する制御を行なう変動表示制御手段と、
前記始動条件は成立したが前記開始条件が成立していない変動表示の保留数を、所定数を上限として計数する保留数計数手段と、
該保留数計数手段により計数されている前記保留数に対応した数の表示領域において、変動表示が保留されていることを特定する保留表示を行なうことにより、前記保留数を特定する表示を行なうことが可能な保留表示部と、
該保留表示部における表示を制御する保留表示制御手段と、
前記再変動表示パターンに基づいて前記識別情報の変動表示を実行することに対応して前記再変動が行なわれるときに、前記保留表示部において表示されるいずれかの保留表示に付随する位置に所定の付属情報を表示する付属情報表示部と、
該付属情報表示部における表示を制御する付属情報表示制御手段とを備え、
該付属情報表示制御手段は、前記付属情報を表示するときに、前記保留数計数手段により計数されている前記保留数が２以上の予め定められた数以上であるときに、前記再変動の実行に応じて、前記付属情報が付随する前記保留表示の対象を変更し、前記付属情報を表示する位置を変化させる制御を行なうことを特徴とする、遊技機。
【請求項４】
前記付属情報表示制御手段は、前記再変動の実行に応じて前記付属情報を表示する位置を変化させるときに、当該付属情報の位置変化により当該付属情報が付随しなくなった前記保留表示の大きさを、位置変化後の方が位置変化前よりも小さくなるように変化させる制御を行なうことを特徴とする、請求項３に記載の遊技機。
【請求項５】
前記付属情報は、複数種類の異なる付属情報を含み、
前記付属情報表示制御手段は、前記再変動の実行に応じて前記付属情報を表示する位置を変化させるときに、保留表示に付随して表示する付属情報を変化させる制御を行なうことを特徴とする、請求項３または４に記載の遊技機。
【請求項６】
前記変動表示制御手段が前記再変動表示パターンに基づいて前記識別情報の変動表示を実行することに対応して実行される再変動演出として、第１再変動演出と、該第１再変動演出と異なる態様の第２再変動演出とを実行可能な再変動演出制御手段をさらに備えたことを特徴とする、請求項１から５のいずれかに記載の遊技機。
【請求項７】
前記再変動演出として、前記第１再変動演出、前記第２再変動演出、または、前記第１再変動演出および前記第２再変動演出が組合わされた第３再変動演出を選択する再変動演出選択手段とをさらに備え、
前記再変動演出制御手段は、前記再変動演出選択手段により選択された再変動演出を実行可能であり、
前記再変動演出選択手段は、前記事前決定手段が特定遊技状態に制御することに決定したときに、再変動演出として、前記第１再変動演出および前記第２再変動演出よりも高い割合で前記第３再変動演出を選択することを特徴とする、請求項６に記載の遊技機。
【請求項８】
前記特定遊技状態は、特定遊技状態終了後に特定遊技状態と異なる通常状態よりも、前記変動表示の表示結果が前記特定表示結果となる確率が向上した高確率状態となる第１特定遊技状態と、該第１特定遊技状態よりも遊技価値が高い第２特定遊技状態とを含み、
前記事前決定手段は、前記特定遊技状態に制御すると決定するときに、前記第１特定遊技状態と、前記第２特定遊技状態とのどちらに制御するかを決定し、
前記変動表示パターン決定手段は、前記事前決定手段により前記第１特定遊技状態に制御すると決定されたときに、前記再変動表示パターンを選択決定可能であることを特徴とする、請求項１から７のいずれかに記載の遊技機。
【請求項９】
遊技球が進入したことに応じて前記始動条件が成立する領域である始動領域に遊技球が進入しやすい遊技者にとって有利な第１状態と、当該始動領域に遊技球が進入しにくいまたは進入しない遊技者にとって不利な第２状態とに変化する可変始動装置と、
所定の開始条件の成立に基づいて各々を識別可能な普通識別情報の変動表示を行ない表示結果を導出表示する普通識別情報表示部と、
該普通識別情報表示部に特定の表示結果が導出表示されたことに基づいて前記可変始動装置を前記第２状態から前記第１状態に変化させ、その後前記第２状態に変化させる動作が所定回数行なわれる可変始動装置動作制御手段と、
前記特定遊技状態が終了した後に前記可変始動装置が通常状態よりも前記第１状態となりやすい進入有利状態に移行させ、前記進入有利状態への移行後に識別情報の変動表示の回数が所定回数になるまで前記進入有利状態に制御する進入有利状態制御手段と、
前記進入有利状態において前記変動表示部における前記識別情報の仮停止の実行回数と前記識別情報の導出表示の実行回数との合計回数を特定可能な情報を表示する情報表示部をさらに備え、
前記情報表示部は、前記変動表示部における前記識別情報の仮停止が行なわれたことに基づいて前記合計回数を特定可能な情報を更新して表示し、当該識別情報の導出表示が行なわれたことに基づいて前記合計回数を特定可能な情報を更新して表示することを特徴とする、請求項１から８のいずれかに記載の遊技機。
【請求項１０】
前記事前決定手段によって前記特定遊技状態に制御しない旨の決定がされたことに基づいて、前記変動表示部における識別情報の変動表示状態を所定のリーチ状態とするか否かを決定するリーチ決定手段と、
前記事前決定手段による決定結果と前記リーチ決定手段による決定結果とに基づいて、識別情報の変動表示パターン種別を複数種類のいずれかに決定する変動表示パターン種別決定手段とをさらに備え、
前記変動表示パターン決定手段は、前記変動表示パターン種別決定手段により決定された変動表示パターン種別に含まれる変動表示パターンの中から変動表示パターンを決定し、
前記変動表示パターン種別決定手段は、
前記リーチ決定手段によってリーチ状態とする旨の決定がなされたことに対応して、当該リーチ状態に応じた複数種類の変動パターン種別のいずれかに決定し、
前記リーチ決定手段によってリーチ状態としない旨の決定がなされたことに対応して、前記識別情報の変動表示中に特定の演出を実行する変動パターン種別を含む複数種類の変動パターン種別のいずれかに決定し、
前記変動表示パターン決定手段は、
前記リーチ決定手段によってリーチ状態とする旨の決定がなされたことに対応して、前記識別情報の変動パターンを、前記変動表示パターン種別決定手段により決定された変動パターン種別に含まれる複数種類のリーチ変動表示パターンのいずれかに決定し、
前記リーチ決定手段によってリーチ状態としない旨の決定がなされたこと、および、前記変動表示パターン種別決定手段によって前記特定の演出を実行する変動パターン種別に決定されたことに対応して、前記識別情報の変動パターンを、前記再変動を含む前記特定の演出を実行するための複数種類の非リーチ変動表示パターンのいずれかに決定することを特徴とする、請求項１から９のいずれかに記載の遊技機。
【手続補正２】
【補正対象書類名】明細書
【補正対象項目名】０００７
【補正方法】変更
【補正の内容】
【０００７】
（１）  始動条件（第１始動入賞口１３、第２始動入賞口１４への遊技球の入賞）が成立した後に変動表示の開始条件（保留記憶数が０でない場合であって、第１特別図柄および第２特別図柄の変動表示が実行されていない状態であり、かつ、大当り遊技が実行されていない状態）が成立したことに基づいて、各々を識別可能な複数種類の識別情報（演出図柄）を変動表示する変動表示部（演出表示装置９）を備え、該変動表示部における識別情報の表示結果が予め定められた特定表示結果（大当りを想起させるような演出図柄の組合せ）となったときに、遊技者にとって有利な特定遊技状態（大当り遊技状態）に制御する遊技機（パチンコ遊技機１）であって、
前記変動表示の結果に応じて前記特定遊技状態に制御するか否かを、前記変動表示部における変動表示の表示結果を導出表示する前に決定する事前決定手段（遊技制御用マイクロコンピュータ５６０、図３５のＳ６１，Ｓ７１）と、
前記変動表示の開始条件が成立したことに基づいて、前記識別情報の変動表示が開始されてから表示結果が導出表示されるまでに一旦非特定表示結果となる識別情報を仮停止させた後にすべての識別情報について変動表示を再度実行する再変動を１回または複数回実行する再変動表示パターン（「擬似連」の演出を含む変動パターン）を含む予め定められた複数種類の前記識別情報の変動表示パターンの中から１つの変動表示パターン（変動パターン）を決定する変動表示パターン決定手段（遊技制御用マイクロコンピュータ５６０、図３６のＳ１０１〜Ｓ１０５Ｂ）と、
前記変動表示パターン決定手段により決定された変動表示パターンに基づいて、前記識別情報の変動表示を実行する制御を行なう変動表示制御手段（演出制御用マイクロコンピュータ１００、図６９のＳ５１８〜Ｓ５２１、図７５のＳ８４１〜Ｓ８４５）と、
前記始動条件は成立したが前記開始条件が成立していない変動表示の保留数（保留記憶数）を、所定数を上限として計数する保留数計数手段（合算保留記憶数カウンタ、図３２のＳ２１７、図３４のＳ５８、図６６のＳ９０５，Ｓ９１０）と、
該保留数計数手段により計数されている前記保留数に対応した数の表示領域において、変動表示が保留されていることを特定する保留表示（保留表示マーク１８３の表示）を行なうことにより、前記保留数を特定する表示を行なうことが可能な保留表示部（演出表示装置９、合算保留記憶表示部１８）と、
該保留表示部における表示を制御する保留表示制御手段（演出制御用マイクロコンピュータ１００、図５０のＳ７０８、図６６のＳ９０１〜Ｓ９１１）とを備え、
該保留表示制御手段は、前記再変動表示パターンに基づいて前記識別情報の変動表示を実行することに対応して前記再変動が行なわれるときに、当該変動表示中における前記再変動の実行回数（再変動カウンタのカウント値）に応じて、前記保留表示の表示色を変化させる制御を行なう（図７５のＳ８４５Ｃ、図４９の（Ｄ）〜（Ｇ））。
【手続補正３】
【補正対象書類名】明細書
【補正対象項目名】０００９
【補正方法】変更
【補正の内容】
【０００９】
（２）  始動条件（第１始動入賞口１３、第２始動入賞口１４への遊技球の入賞）が成立した後に変動表示の開始条件（保留記憶数が０でない場合であって、第１特別図柄および第２特別図柄の変動表示が実行されていない状態であり、かつ、大当り遊技が実行されていない状態）が成立したことに基づいて、各々を識別可能な複数種類の識別情報（演出図柄）を変動表示する変動表示部（演出表示装置９）を備え、該変動表示部における識別情報の表示結果が予め定められた特定表示結果（大当りを想起させるような演出図柄の組合せ）となったときに、遊技者にとって有利な特定遊技状態（大当り遊技状態）に制御する遊技機（パチンコ遊技機１）であって、
前記変動表示の結果に応じて前記特定遊技状態に制御するか否かを、前記変動表示部における変動表示の表示結果を導出表示する前に決定する事前決定手段（遊技制御用マイクロコンピュータ５６０、図３５のＳ６１，Ｓ７１）と、
前記変動表示の開始条件が成立したことに基づいて、前記識別情報の変動表示が開始されてから表示結果が導出表示されるまでに一旦非特定表示結果となる識別情報を仮停止させた後にすべての識別情報について変動表示を再度実行する再変動を１回または複数回実行する再変動表示パターン（「擬似連」の演出を含む変動パターン）を含む予め定められた複数種類の前記識別情報の変動表示パターンの中から１つの変動表示パターン（変動パターン）を決定する変動表示パターン決定手段（遊技制御用マイクロコンピュータ５６０、図３６のＳ１０１〜Ｓ１０５Ｂ）と、
前記変動表示パターン決定手段により決定された変動表示パターンに基づいて、前記識別情報の変動表示を実行する制御を行なう変動表示制御手段（演出制御用マイクロコンピュータ１００、図６９のＳ５１８〜Ｓ５２１、図７５のＳ８４１〜Ｓ８４５）と、
前記始動条件は成立したが前記開始条件が成立していない変動表示の保留数（保留記憶数）を、所定数を上限として計数する保留数計数手段（合算保留記憶数カウンタ、図３２のＳ２１７、図３４のＳ５８、図６６のＳ９０５，Ｓ９１０）と、
該保留数計数手段により計数されている前記保留数に対応した数の表示領域において、変動表示が保留されていることを特定する保留表示（保留表示マーク１８３の表示）を行なうことにより、前記保留数を特定する表示を行なうことが可能な保留表示部（演出表示装置９、合算保留記憶表示部１８）と、
該保留表示部における表示を制御する保留表示制御手段（演出制御用マイクロコンピュータ１００、図５０のＳ７０８、図６６のＳ９０１〜Ｓ９１１）とを備え、
該保留表示制御手段は、前記再変動表示パターンに基づいて前記識別情報の変動表示を実行することに対応して前記再変動が行なわれるときに、当該変動表示中における前記再変動の実行回数（再変動カウンタのカウント値）に応じて、前記保留表示の表示形状を変化させる制御を行なう（図７５のＳ８４５Ｃ、図７７の（Ｄ）〜（Ｇ））。
【手続補正４】
【補正対象書類名】明細書
【補正対象項目名】００１１
【補正方法】変更
【補正の内容】
【００１１】
（３）  始動条件（第１始動入賞口１３、第２始動入賞口１４への遊技球の入賞）が成立した後に変動表示の開始条件（保留記憶数が０でない場合であって、第１特別図柄および第２特別図柄の変動表示が実行されていない状態であり、かつ、大当り遊技が実行されていない状態）が成立したことに基づいて、各々を識別可能な複数種類の識別情報（演出図柄）を変動表示する変動表示部（演出表示装置９）を備え、該変動表示部における識別情報の表示結果が予め定められた特定表示結果（大当りを想起させるような演出図柄の組合せ）となったときに、遊技者にとって有利な特定遊技状態（大当り遊技状態）に制御する遊技機（パチンコ遊技機１）であって、
前記変動表示の結果に応じて前記特定遊技状態に制御するか否かを、前記変動表示部における変動表示の表示結果を導出表示する前に決定する事前決定手段（遊技制御用マイクロコンピュータ５６０、図３５のＳ６１，Ｓ７１）と、
前記変動表示の開始条件が成立したことに基づいて、前記識別情報の変動表示が開始されてから表示結果が導出表示されるまでに一旦非特定表示結果となる識別情報を仮停止させた後にすべての識別情報について変動表示を再度実行する再変動を１回または複数回実行する再変動表示パターン（「擬似連」の演出を含む変動パターン）を含む予め定められた複数種類の前記識別情報の変動表示パターンの中から１つの変動表示パターン（変動パターン）を決定する変動表示パターン決定手段（遊技制御用マイクロコンピュータ５６０、図３６のＳ１０１〜Ｓ１０５Ｂ）と、
前記変動表示パターン決定手段により決定された変動表示パターンに基づいて、前記識別情報の変動表示を実行する制御を行なう変動表示制御手段（演出制御用マイクロコンピュータ１００、図６９のＳ５１８〜Ｓ５２１、図７５のＳ８４１〜Ｓ８４５）と、
前記始動条件は成立したが前記開始条件が成立していない変動表示の保留数（保留記憶数）を、所定数を上限として計数する保留数計数手段（合算保留記憶数カウンタ、図３２のＳ２１７、図３４のＳ５８、図６６のＳ９０５，Ｓ９１０）と、
該保留数計数手段により計数されている前記保留数に対応した数の表示領域において、変動表示が保留されていることを特定する保留表示（保留表示マーク１８３の表示）を行なうことにより、前記保留数を特定する表示を行なうことが可能な保留表示部（演出表示装置９、合算保留記憶表示部１８）と、
該保留表示部における表示を制御する保留表示制御手段（演出制御用マイクロコンピュータ１００、図５０のＳ７０８、図６６のＳ９０１〜Ｓ９１１）と、
前記再変動表示パターンに基づいて前記識別情報の変動表示を実行することに対応して前記再変動が行なわれるときに、前記保留表示部において表示されるいずれかの保留表示に付随する位置に所定の付属情報(「ＣＨＡＮＣＥ」、「激熱！！」というような付属情報１８４ａ，１８４ｂ)を表示する付属情報表示部（演出表示装置９、図７８および図８１の付属情報表示部１８４）と、
該付属情報表示部における表示を制御する付属情報表示制御手段（演出制御用マイクロコンピュータ１００、第３実施形態における図７９のＳ５５８Ｂ、図８０のＳ８４５Ｈ、第４実施形態で引用する図７９のＳ５５８Ｂ、図８０のＳ８４５Ｈ）とを備え、
該付属情報表示制御手段は、前記付属情報を表示するときに、前記保留数計数手段により計数されている前記保留数が２以上の予め定められた数以上（たとえば２以上）であるときに、前記再変動の実行に応じて、前記付属情報が付随する前記保留表示の対象を変更し、前記付属情報を表示する位置を変化させる制御を行なう（第３実施形態における図８０のＳ８４５Ｇ，Ｓ８４５Ｈ、図７８の（Ｃ）〜（Ｈ）、第４実施形態で引用する図８０のＳ８４５Ｇ，Ｓ８４５Ｈ、および、図８１の（Ｃ）〜（Ｈ））。
【手続補正５】
【補正対象書類名】明細書
【補正対象項目名】００２５
【補正方法】変更
【補正の内容】
【００２５】
（１０）  前記事前決定手段によって前記特定遊技状態に制御しない旨の決定がされたことに基づいて、前記変動表示部における識別情報の変動表示状態を所定のリーチ状態とするか否かを決定するリーチ決定手段（遊技制御用マイクロコンピュータ５６０、図３６のＳ９５〜Ｓ９８）と、
前記事前決定手段による決定結果と前記リーチ決定手段による決定結果とに基づいて、識別情報の変動表示パターン種別を複数種類のいずれかに決定する変動表示パターン種別決定手段（遊技制御用マイクロコンピュータ５６０、図３６のＳ１０１〜Ｓ１０２）とをさらに備え、
前記変動表示パターン決定手段は、前記変動表示パターン種別決定手段により決定された変動表示パターン種別に含まれる変動表示パターンの中から変動表示パターンを決定し（図３６のＳ１０３〜Ｓ１０５）、
前記変動表示パターン種別決定手段は、
前記リーチ決定手段によってリーチ状態とする旨の決定がなされたことに対応して、当該リーチ状態に応じた複数種類の変動パターン種別のいずれかに決定し、
前記リーチ決定手段によってリーチ状態としない旨の決定がなされたことに対応して、前記識別情報の変動表示中に特定の演出を実行する変動パターン種別を含む複数種類の変動パターン種別のいずれかに決定し（図３６のＳ１００の処理で、図２２に示す非リーチ用変動パターン種別判定テーブル１３６Ａ〜１３６Ｃのいずれかを選択して、図３６のＳ１０１〜Ｓ１０３の処理で変動パターン種別を決定する。図２２に示す非リーチＣＡ１−４および非リーチＣＣ１−３では、「擬似連」を含む非リーチＰＡ１−５が選択され得る（図２５参照））、
前記変動表示パターン決定手段は、
前記リーチ決定手段によってリーチ状態とする旨の決定がなされたことに対応して、前記識別情報の変動パターンを、前記変動表示パターン種別決定手段により決定された変動パターン種別に含まれる複数種類のリーチ変動表示パターンのいずれかに決定し（図３６のＳ９９の処理で、図２１に示すリーチ用変動パターン種別判定テーブル１３５Ａ〜１３５Ｃのいずれかを選択して、図３６のＳ１０１〜Ｓ１０３の処理で変動パターン種別を決定する。図２１に示すスーパーＣＡ２−２、スーパーＣＡ２−３、スーパーＣＢ２−１では、「擬似連」を含むスーパーＰＡ３−３、スーパーＰＡ３−６、スーパーＰＢ３−３が選択され得る（図２６参照））、
前記リーチ決定手段によってリーチ状態としない旨の決定がなされたこと、および、前記変動表示パターン種別決定手段によって前記特定の演出を実行する変動パターン種別に決定されたことに対応して、前記識別情報の変動パターンを、前記再変動を含む前記特定の演出を実行するための複数種類の非リーチ変動表示パターンのいずれかに決定する（「擬似連」を含む変動パターンを含む変動パターン判定テーブルが選択された後、図３６のＳ１０４，Ｓ１０５の処理を実行する）。